(57)【要約】【課題】鞄に設けられ伸縮するハンドルが衣服のハンガーを兼ねることができる鞄を提供することを目的とする。【解決手段】鞄１の上方へ向かって伸縮可能な略コの字状ハンドル１７の上端に位置する水平な把持部２１から、左右水平方向へ出没自在な延長部２３を設ける。よって、ハンドル１７のコの字状の角部で衣服が滑ることがなく、衣服ハンガーとしての機能を十分に果たすことができる。【選択図】図１
2013094512.tif 000002
【特許請求の範囲】
【請求項１】
鞄の上方へ向かって伸縮可能なハンドルと、このハンドルの上端に位置する水平な把持部と、この把持部から左右水平方向へ出没自在な延長部と、を有することを特徴とする衣服ハンガーを兼ねるハンドルを有する鞄。
【請求項２】
前記ハンドルは、略コの字状で、コの字を構成する中央の辺部が上になって水平な把持部となることを特徴とする請求項１に記載の衣服ハンガーを兼ねるハンドルを有する鞄。    
【請求項３】
前記ハンドルは、略Ｔ字状で、Ｔ字を構成する中央の辺部が上になって水平な把持部となることを特徴とする請求項１に記載の衣服ハンガーを兼ねるハンドルを有する鞄。
【請求項４】
前記延長部は、前記平行な把持部の両側面の凹部に収納され、端部のヒンジによって水平面内で１８０度回動して出没することを特徴とする請求項１、２、または３に記載の衣服ハンガーを兼ねるハンドルを有する鞄。
【請求項５】
前記延長部は、前記平行な把持部の両側面の凹部に収納され、端部のヒンジによって垂直面内で１８０度回動して出没することを特徴とする請求項１、２、または３に記載の衣服ハンガーを兼ねるハンドルを有する鞄。
【請求項６】
前記延長部は、前記平行な把持部の両側面の凹部に収納され、長手方向の水平方向へスライドして出没することを特徴とする請求項１、２、または３に記載の衣服ハンガーを兼ねるハンドルを有する鞄。
【請求項７】
前記バンドルは、全体が鞄の正面側に傾斜することで、把持部が鞄の重心の上方へ近くなっていることを特徴とする請求項１、２、３、４、５、または６に記載の衣服ハンガーを兼ねるハンドルを有する鞄。
【発明の詳細な説明】
【技術分野】
【０００１】
この発明は、上方へ向かって伸縮可能なハンドルを有する鞄の構造に関する。
【背景技術】
【０００２】
旅行鞄等には、底面にキャスターが設けられ、上方へ向かって伸縮可能なハンドルを有することで、ハンドルにより引っ張ってキャスターで床面や路面を走行できるものがある。このハンドルは、一般には、略コの字状で、コの字を構成する中央の辺部が上になって水平となる形状を有する。
【０００３】
また、このハンドルには、略コの字状ではなく、下記特許文献１に示されるように、略Ｔ字状で、Ｔ字を構成する中央の辺部が上になって水平となるものもある。
【先行技術文献】
【特許文献】
【０００４】
【特許文献１】特表２００２−５２６１３２
【発明の概要】
【発明が解決しようとする課題】
【０００５】
旅行中の空港やホテルのロビーなどで、脱いだ上着などの衣服を、旅行鞄の伸ばしたハンドルをハンガーとしてかけることができるならば、手がふさがらず便利である。特に、窓口へ向かう行列の中にいて、旅券、航空チケット、または財布などを扱うのに便利である。さらに、例えば冬場の日本から熱帯の旅行先へいったときには、重い上着をもてあますことが少なくなり、重宝するであろう。
【０００６】
しかし、略コの字状のハンドルは、コの字状の角部で衣服が滑り、ハンガーの働きをしない。また、略Ｔ字状のハンドルは、Ｔ字を構成する中央の辺部は、手で把持するのに適した長さになっており、長さが足りず、ハンガーの働きをしにくい。
この発明は、以上の問題点を解決するために、ハンドルが衣服のハンガーを兼ねることができる鞄を提供することを目的とする。
【課題を解決するための手段】
【０００７】
以上の課題を解決するために、第一発明は、鞄の上方へ向かって伸縮可能なハンドルと、このハンドルの上端に位置する水平な把持部と、この把持部から左右水平方向へ出没自在な延長部と、を有することを特徴とする衣服ハンガーを兼ねるハンドルを有する鞄である。
【０００８】
第二発明は、さらに、前記ハンドルは、略コの字状で、コの字を構成する中央の辺部が上になって水平な把持部となることを特徴とする衣服ハンガーを兼ねるハンドルを有する鞄である。
第三発明は、さらに、前記ハンドルは、略Ｔ字状で、Ｔ字を構成する中央の辺部が上になって水平な把持部となることを特徴とする衣服ハンガーを兼ねるハンドルを有する鞄である。
第四発明は、さらに、前記延長部は、前記平行な把持部の両側面の凹部に収納され、端部のヒンジによって水平面内で１８０度回動して出没することを特徴とする衣服ハンガーを兼ねるハンドルを有する鞄である。
第五発明は、さらに、前記延長部は、前記平行な把持部の両側面の凹部に収納され、端部のヒンジによって垂直面内で１８０度回動して出没することを特徴とする衣服ハンガーを兼ねるハンドルを有する鞄である。
第六発明は、さらに、前記延長部は、前記平行な把持部の両側面の凹部に収納され、長手方向の水平方向へスライドして出没することを特徴とする衣服ハンガーを兼ねるハンドルを有する鞄である。
第七発明は、さらに、前記バンドルは、全体が鞄の正面側に傾斜することで、把持部が鞄の重心の上方へ近くなっていることを特徴とする衣服ハンガーを兼ねるハンドルを有する鞄である。
【発明の効果】
【０００９】
第一、第二、第三、第四、第五、又は第六発明によれば、水平な把持部から左右水平方向へ延長部を突出させることで、この延長された把持部を、衣服ハンガーとして使用することができる。衣服ハンガーとして使用しないときには、延長部を突出させないことで、通常の把持部としての使用ができる。
【００１０】
第二、第四、第五、又は第六発明によれば、さらに、ハンドルのコの字状の角部で衣服が滑ることがなく、衣服ハンガーとしての機能を十分に果たすことができる。
第三、第四、第五、又は第六発明によれば、さらに、延長された把持部は水平方向の十分な長さがあり、衣服ハンガーとしての機能を十分に果たすことができる。
第四発明によれば、さらに、延長部は、水平面内で回動して出没するので、この回動は、水平面内において鞄の前後の厚みのスペース、及び通常、鞄の背後に立つ利用者と鞄の背面との間のスペースで行われ、鞄の前後の厚みが大きいときに、周囲の物や人との干渉が避けられる。
【００１１】
第五発明によれば、さらに、延長部は、垂直面内で回動して出没するので、この回動は、鞄の上方のスペースで行われ、特に、鞄の前後の厚みが小さいときに、周囲の物や人との干渉が避けられる。
第六発明によれば、さらに、延長部は、長手方向の水平方向へスライドして出没するので、このスライドは、把持部の左右のスペースでのみ行われ、周囲の物や人との干渉が避けられる。
第七発明によれば、さらに、把持部が鞄の重心の上方へ近くなっていることで、把持部から延長部を突出した状態で衣服ハンガーとして使用する際に、衣服の重みで鞄が転倒する恐れを小さくできる。
【図面の簡単な説明】
【００１２】
【図１】この発明の一実施形態に係る旅行鞄を示すもので、（Ａ）は斜視図、（Ｂ）は（Ａ）の側面図である。
【図２】図１の把持部から延長部が出没する機能を示す図で（Ａ）は平面図、（Ｂ）は正面図である。
【図３】他の実施形態において把持部から延長部が出没する機能を示す図で（Ａ）は平面図、（Ｂ）は正面図である。
【図４】さらに他の実施形態において把持部から延長部が出没する機能を示す図で（Ａ）は平面図、（Ｂ）は正面図である。
【図５】（Ａ）（Ｂ）（Ｃ）は、ハンドルが略Ｔ字状である他の実施形態において把持部から延長部が出没する機能を示す正面図である。
【発明を実施するための形態】
【００１３】
この発明の一実施形態に係る旅行鞄を、図１及び図２に示す。
図１に示すように、この旅行鞄１の正面３には、ファスナー付のポケット５などが設けられる。また、この正面３側は、蓋部７となっており、背面９側が本体１１となり、物品を収納できる。
旅行鞄１の上面１３には、固定取手１５が設けられる他、背面９側に、上方へ向かって伸縮可能な、略コの字状のハンドル１７が設けられる。このハンドル１７は、コの字を構成する中央の辺部１９が、上になって水平な把持部２１となり、上端に位置する。よって、ハンドル１７の略コの字は横向きとなる。把持部２１からは左右水平方向へ出没自在な延長部２３が設けられる。
【００１４】
旅行鞄１の底面２５には、背面９側において、２つのキャスター２７が左右に設けられる。旅行鞄１の底面２５には、さらに、左右のキャスター２７に対して鞄の正面３側に、脚突起２９が設けられる。図１（Ｂ）に示すように、この脚突起２９が、通常の鞄の場合よりも、突起量が小さく設定される。これにより、鞄全体が、その上部を正面３側に倒すように角度θ傾斜する。これにより、バンドルは全体が、鞄の正面３側に傾斜することで、把持部２１が鞄の重心の上方へ近くなっている。できれば、鞄の重心の真上に位置することが望ましい。
【００１５】
旅行鞄１の外装素材３１の内部には、背面９と底面２５にＬ字状に連続するプレート状の図示しないフレームが配置される。フレームの背面９に一体的にハンドル１７の入れ子式の多重筒構造体３３が設けられる。この多重筒構造体３３は２つ有り、前記コの字を構成する両端の辺部を構成する。多重筒構造体３３を伸ばしてハンドル１７を上方へ伸ばすと、外装素材３１の開口部から外へ露出する。
【００１６】
ハウジングの底面２５には２つのキャスター２７が左右に支持され、外装素材３１の開口部から外へ露出する。旅行鞄１の下面には、さらに、左右のキャスター２７に対して鞄正面側に、脚突起２９が設けられ、外装素材３１の開口部から外へ露出する。
図２に示すように、延長部２３は、水平な把持部２１の両面、すなわち正面と背面に形成される凹部３５に収納され、端部のヒンジ３７によって水平面内で１８０度回動して出没する。
すなわち、延長部２３は、２枚設けられ、板状で細長く、先端がやや細く形成される。基端には、軸を縦にしたヒンジ３７が設けられる。凹部３５は、把持部２１の両側面、すなわち鞄の表面側と背面９側に形成され、延長部２３と類似の形状を有する。表面側と背面９側とでは、収納される延長部２３の左右方向は逆である。
【００１７】
延長部２３は、ヒンジ３７において突出方向に図示しないバネにより付勢されており、収納した状態でロックされている。このロックは、把持部２１に設けられたロック解除ボタン３８を押下げることで、解除される。突出した延長部２３は、手で押し戻され収納されると、図示しないロック機構が働いて、ロックされる。
このロック解除ボタン３８は、ハンドル７を操作する際に、ハンドルの伸びた状態や縮んだ状態をロックしているロック機構を解除するハンドルボタンを兼ねる。ロック解除ボタン３８を通常の深さで押せば、ハンドルボタンとしての機能を果たし、通常の深さよりも深い深押しをすれば、ロック解除ボタン３８としての機能を果たす。
【００１８】
「実施形態の効果」
以上の構成により、水平な把持部２１から左右水平方向へ延長部２３を突出させることで、この延長された把持部２１を、衣服ハンガーとして使用することができる。すなわち、ハンドル１７のコの字状の角部で衣服３９が滑ることがなく、衣服ハンガーとしての機能を十分に果たすことができる。衣服ハンガーとして使用しないときには、延長部２３を突出させないことで、通常の把持部２１としての使用ができる。
【００１９】
延長部２３は、水平面内で回動して出没する。よって、この回動は、一方の延長部２３については、水平面内において鞄の前後の厚みのスペースで行われる。他方の延長部２３については、水平面内において、通常鞄の背後に立つことになる利用者と、鞄の背面９との間のスペースで行われる。鞄の前後の厚みが大きいときに、周囲の物や他人との干渉が避けられる。
把持部２１が鞄の重心の上方へ近くなっていることで、把持部２１から延長部２３を突出した状態で衣服ハンガーとして使用する際に、衣服の重みで鞄が転倒する恐れを小さくできる。
「他の実施形態」
以上の実施形態では、延長部２３はバネにより突出方向に付勢されるものであったが、他の実施形態では、逆の収納方向へ付勢させることも可能である。この場合に、ロック機構は、延長部２３を突出状態にロックするものであり、把持部２１に設けられたロック解除ボタン３８を押下げることで、ロックが解除されると、延長部２３は自動的に回動し収納される。
以上の実施形態では、延長部２３はバネにより付勢された状態でロックされ、このロックはロック解除ボタン３８によって解除されるものであったが、他の実施形態では、そのようにバネにより付勢されることなく、凹部３５の縁に設けられたプラスチック製のシンプルな引っ掛け部が、延長部２３を引っ掛けてロックするロック機構として設けられ、使用者の手で引っ張ってロック解除するものともできる。
【００２０】
以上の実施形態では、脚突起２９の突起量が小さく設定されることで、鞄全体が傾斜し、よって、バンドル全体が傾斜するものであったが、他の実施形態では、脚突起２９の突起量は従来通りとし鞄は直立のまま、ハンドル１７のみを鞄に対して傾斜させることもできる。
以上の実施形態では、延長部２３は、水平面内で回動して出没するものであったが、他の実施形態では、図３に示すように、垂直面内で１８０度回動して出没するものであってもよい。延長部２３は、垂直面内で回動して出没するので、この回動は、鞄の上方のスペースで行われ、特に、鞄の前後の厚みが小さいときに、周囲の物や人との干渉が避けられる。
【００２１】
以上の実施形態では、延長部２３は、水平面内で回動して出没するものであったが、他の実施形態では、図４に示すように、延長部２３の長手方向の水平方向へスライドして左右に出没するものであってもよい。延長部２３は、長手方向の水平方向へスライドして出没するので、このスライドは、把持部２１の左右のスペースでのみ行われ、周囲の物や人との干渉が避けられる。
以上の実施形態では、ハンドル１７は略コの字状であったが、他の実施形態では、図５に示すように、略Ｔ字状でも良い。Ｔ字を構成する中央の辺部１９が上になって水平な把持部２１となる。同図（Ａ）（Ｂ）（Ｃ）に示すように、延長部の突出する形態は、既に記述した形態が、採用できる。延長された把持部２１は水平方向の十分な長さがあり、衣服ハンガーとしての機能を十分に果たすことができる。
【符号の説明】
【００２２】
１…旅行鞄、３…正面、５…ポケット、７…蓋部、９…背面、１１…本体、１３…上面、１５…固定取手、１７…ハンドル、１９…中央の辺部、２１…把持部、２３…延長部、２５…底面、２７…キャスター、２９…脚突起、３１…外装素材、３３…多重筒構造体、３５…凹部、３７…ヒンジ、３９・・衣服。
【図１】
2013094512.tif 000003
【図２】
2013094512.tif 000004
【図３】
2013094512.tif 000005
【図４】
2013094512.tif 000006
【図５】
2013094512.tif 000007